(57)【特許請求の範囲】
【請求項１】
施工面に対して略平行な平面であるＬＥＤユニット取付台を備える器具本体と、
長尺のＬＥＤ基板と、前記ＬＥＤ基板の表面上において、前記ＬＥＤ基板の長手方向に沿って所定間隔で配列される複数のＬＥＤチップと、前記複数のＬＥＤチップを覆う透光性のカバー部と、を備える、複数のＬＥＤユニットと、
前記複数のＬＥＤユニットの点灯を制御する制御部と、
を有し、
前記ＬＥＤユニット取付台における前記施工面に対して略平行な平面は、下方から見た平面視において四角形の形状であり、
前記複数のＬＥＤユニットは、
第１、第２および第３の各グループに区分されると共に、
前記ＬＥＤユニット取付台の前記四角形の平面上において、前記四角形の、互いに平行な一対の辺の各中点を結ぶ中心線に対して対称である位置であって、前記中心線に近い側の位置に配置され、下方に光を出射し、かつ前記第１のグループに分類される、ｍ（ｍは自然数）対のＬＥＤユニットと、
前記ＬＥＤユニット取付台の前記四角形の平面上において、前記中心線に対して対称である位置であって、前記中心線から遠い側の位置に配置され、下方に光を出射し、かつ前記第２のグループに分類される、ｎ（ｎは自然数）対のＬＥＤユニットと、
前記四角形の、連続する３辺の各々に沿う外側の領域を、第１、第２および第３の外側領域とする場合、前記各外側領域毎に、前記３辺の各々に長手方向が一致するように、かつ前記施工面に対して傾斜するように配置され、斜め下方に光を出射する、前記第２のグループに分類されるＬＥＤユニットと、
前記四角形の、残りの１辺に沿う外側の領域を第４の外側領域とする場合、前記第４の外側領域において、前記残りの１辺に長手方向が一致するように、かつ前記施工面に対して傾斜するように配置され、斜め下方に光を出射する、前記第３のグループに分類されるＬＥＤユニットと、
を有し、
前記制御部は、
前記第１、第２および第３のグループに属する全ＬＥＤユニットの点灯、
前記第２および第３のグループに属するＬＥＤユニットのみの点灯、
前記第３のグループに属するＬＥＤユニットのみの点灯、
前記第１のグループに属するＬＥＤユニットのみの点灯、
を切り替え制御する照明器具。
【請求項２】
請求項１に記載の照明器具において、
前記制御部は、切り替え制御可能な点灯パターンとして、さらに、
前記第２のグループに属するＬＥＤユニットのうちの、前記第１、第２および第３の外側領域の各々に配置されるＬＥＤユニット、および前記第３のグループに属するＬＥＤユニットのみを点灯させるパターンを有する照明器具。
【発明の詳細な説明】
【技術分野】
【０００１】
本発明は、ＬＥＤを光源に用い天井面等に取り付けられて下方を照明する照明器具に関するものである。
【背景技術】
【０００２】
従来より、ＬＥＤを光源に用いて天井面に取り付けられる照明器具であるシーリングライトが知られている（例えば、特許文献１参照）。
図７に示すように、特許文献１に記載の照明器具１００は、天井面１０１に取り付けられて下方を照明するものであり、天井面１０１に取り付けられる断面台形状の器具本体１０２を有する。
すなわち、器具本体１０２は、天井面１０１に平行な取付面部１０３と、この取付面部１０３から外側に向かって天井面１０１側に傾斜する傾斜面部１０４を有する。取付面部１０３および傾斜面部１０４には、それぞれ光源として複数のＬＥＤ１０５が取り付けられている。
【先行技術文献】
【特許文献】
【０００３】
【特許文献１】実用新案登録第３１５６７２１号公報（第６図）
【発明の概要】
【発明が解決しようとする課題】
【０００４】
しかしながら、従来の照明器具においては、器具本体１０２の取付面部１０３および傾斜面部１０４に複数のＬＥＤ１０５を配設しているので、照射範囲を拡げることができるものの、部屋の床面の一部を照らしたり、壁面を明るく照らしたり等の生活シーンや嗜好に合わせた照明の照らし分けができず、変化に乏しいという問題があった。
【０００５】
本発明は、従来の問題を解決するためになされたもので、生活シーンや嗜好に合わせて部屋を照らし分けできる照明器具を提供することを目的とする。
【課題を解決するための手段】
【０００６】
本発明の照明器具は、施工面に対して略平行な平面であるＬＥＤユニット取付台を備える器具本体と、長尺のＬＥＤ基板と、前記ＬＥＤ基板の表面上において、前記ＬＥＤ基板の長手方向に沿って所定間隔で配列される複数のＬＥＤチップと、前記複数のＬＥＤチップを覆う透光性のカバー部と、を備える、複数のＬＥＤユニットと、前記複数のＬＥＤユニットの点灯を制御する制御部と、を有し、前記ＬＥＤユニット取付台における前記施工面に対して略平行な平面は、下方から見た平面視において四角形の形状であり、前記複数のＬＥＤユニットは、第１、第２および第３の各グループに区分されると共に、前記ＬＥＤユニット取付台の前記四角形の平面上において、前記四角形の、互いに平行な一対の辺の各中点を結ぶ中心線に対して対称である位置であって、前記中心線に近い側の位置に配置され、下方に光を出射し、かつ前記第１のグループに分類される、ｍ（ｍは自然数）対のＬＥＤユニットと、前記ＬＥＤユニット取付台の前記四角形の平面上において、前記中心線に対して対称である位置であって、前記中心線から遠い側の位置に配置され、下方に光を出射し、かつ前記第２のグループに分類される、ｎ（ｎは自然数）対のＬＥＤユニットと、前記四角形の、連続する３辺の各々に沿う外側の領域を、第１、第２および第３の外側領域とする場合、前記各外側領域毎に、前記３辺の各々に長手方向が一致するように、かつ前記施工面に対して傾斜するように配置され、斜め下方に光を出射する、前記第２のグループに分類されるＬＥＤユニットと、前記四角形の、残りの１辺に沿う外側の領域を第４の外側領域とする場合、前記第４の外側領域において、前記残りの１辺に長手方向が一致するように、かつ前記施工面に対して傾斜するように配置され、斜め下方に光を出射する、前記第３のグループに分類されるＬＥＤユニットと、を有し、前記制御部は、前記第１、第２および第３のグループに属する全ＬＥＤユニットの点灯、前記第２および第３のグループに属するＬＥＤユニットのみの点灯、前記第３のグループに属するＬＥＤユニットのみの点灯、前記第１のグループに属するＬＥＤユニットのみの点灯、を切り替え制御するものである。
【０００７】
また、本発明の照明器具は、前記制御部は、切り替え制御可能な点灯パターンとして、さらに、前記第２のグループに属するＬＥＤユニットのうちの、前記第１、第２および第３の外側領域の各々に配置されるＬＥＤユニット、および前記第３のグループに属するＬＥＤユニットのみを点灯させるパターンを有するものである。
【発明の効果】
【００１０】
本発明は、器具本体において施工面に対して略平行な取付面部に配設されている第１のＬＥＤユニットの外側に配設されて、側方へ光を照射する第２のＬＥＤユニットおよび第３のＬＥＤユニットを、点灯切替手段により同時にあるいは選択的に切り替えることにより、部屋全体の照らし分けができ、部屋の演出効果や、ユーザの嗜好に合わせることができるという効果を有する照明器具を提供できる。
【図面の簡単な説明】
【００１１】
【図１】本発明に係る実施形態の照明器具を下方から見た斜視図
【図２】図１中ＩＩ方向から見た底面図
【図３】図１中ＩＩＩ方向から見た側面図
【図４】ＬＥＤユニットの分解斜視図
【図５】本発明に係る実施形態の照明器具における制御系統を示すブロック図
【図６】（Ａ）〜（Ｅ）は配光パターンおよびこのとき使用するＬＥＤユニットを示す図表
【図７】（Ａ）は従来の照明器具の斜視図であり、（Ｂ）は（Ａ）中Ｂ−Ｂ位置の断面図
【発明を実施するための形態】
【００１２】
以下、本発明に係る実施形態の照明器具について、図面を用いて説明する。
図１に示すように、本発明に係る実施形態の照明器具１０は、施工面である天井面１１等に取り付けられて主に下方を照明するものであり、天井面１１に取り付けられる例えば正方形状の器具本体２０を有する。
なお、図１においては、器具本体２０の前方（下方）に取り付けられる透光性カバー２６（図３参照）を外した状態を示している。
また、天井面１１には、照明器具１０を取り付けるための引っ掛けシーリング１２（図３参照）が取り付けられている。
【００１３】
図２および図３に示すように、器具本体２０は、天井面１１に取り付けられる例えば正方形上の形状のベースプレート２１を有する。ベースプレート２１の中央には、天井面１１の引っ掛けシーリング１２に取り付けることにより照明器具１０を取り付けるための取付金具２５が、ベースプレート２１を貫通して設けられている。
また、ベースプレート２１の下面２１１には、対向する２端辺２１２、２１３から各々一定幅の区間２１２Ａ、２１３Ａを除いて、端辺２１２、２１３に平行な断面が台形であるＬＥＤユニット取付台２２が取り付けられている。
【００１４】
取付台２２は、ベースプレート２１と平行な取付面部２３と、取付面部２３の外側、すなわち四方に側部２４を有する。側部２４の一部（ここでは、例えば取付台２２の端面２３１に直交する端部）には、取付面部２３の端部とベースプレート２１との間に設けられて外側に向かってベースプレート２１に近付く方向へ傾斜した傾斜面２４１が設けられている。
傾斜面２４１の天井面１１すなわち取付面部２３に対する傾斜角度θ（図３参照）は、０度＜θ＜９０度である。
【００１５】
なお、取付面部２３は、ベースプレート２１の中央に設けられている取付金具２５との干渉を避けるため、図１に示すように、２分割してもよい。
また、取付面部２３の内部には、ＬＥＤユニット３０に点灯電力を供給する電源装置２７と、電源装置２７を制御する制御部４１が収容されている。
【００１６】
取付面部２３および側部２４にはＬＥＤユニット３０が取り付けられている。例えば、取付面部２３には、中央の取付金具２５を挟んで両側に各々２個の第１のＬＥＤユニット３１が平行に配設されている。
そして、取付面部２３における第１のＬＥＤユニット３１の外側には第２のＬＥＤユニット３２が配設されている。また、側部２４における傾斜面２４１には、各々第２のＬＥＤユニット３２または第３のＬＥＤユニット３３が配設されており、下方または外向きに光を照射する。
【００１７】
さらに、取付面部２３の一対の端面２３１の両外側の側部２４には、端面２３１とベースプレート２１下面との間に、各々第２のＬＥＤユニット３２が、傾斜して取り付けられている。
この第２のＬＥＤユニット３２の取付角度は、調整可能とすることができる。
【００１８】
なお、ここでは、ＬＥＤユニット取付台２２として、ベースプレート２１の対向する端辺２１２，２１３に沿った断面のみが台形となっている場合を示したが、端辺２１２，２１３に直交する方向にも傾斜面を設けて、全体を下方に尖った四角錐台形状とすることもできる。
【００１９】
図３に示すように、ベースプレート２１の下面２１１には、前述したＬＥＤユニット３０（第１のＬＥＤユニット３１，第２のＬＥＤユニット３２，第３のＬＥＤユニット３３の総称である。）を収容する透光性カバー２６が着脱可能に取り付けられる。透光性カバー２６は、下向きに尖る四角錐台形状を呈している。
【００２０】
図４に示すように、ＬＥＤユニット３０は全体細長い長方形状をしており、最下層（図４において最上部）に長方形の本体３４を有する。本体３４は、放熱性を向上させるため、アクリルにより形成されている。
これにより、ＬＥＤチップ３５１が発した熱を効率的に放熱できるので、ＬＥＤユニット３０の寿命を大幅に延ばすことができる。
【００２１】
本体３４の上（図４において下）には、複数のＬＥＤチップ３５１を実装したＬＥＤ基板３５が取り付けられる。少なくとも側部２４に配設されているＬＥＤユニット３２、３３においては、ＬＥＤチップ３５１は、ＬＥＤ基板３５上に１列の直線上に配列されている。
本体３４の上（図４において下）には、ＬＥＤチップ３５１およびＬＥＤ基板３５を覆う難燃性の樹脂で形成された透光性のカバー３６が配設される。
【００２２】
そして、ＬＥＤ基板３５およびカバー３６を本体３４に取り付けるために、全体枠状のアンダーカバー３７が本体３４に取り付けられる。アンダーカバー３７は、ＡＢＳで形成されており、ねじ等の締結手段を用いずに本体３４に取り付けられて、アンダーカバー３７と本体３４との間にＬＥＤ基板３５およびカバー３６を挟持する。従って、ＬＥＤユニット３０を下方から見たときには、ＬＥＤユニット３０を組み立てているねじ等の締結手段は見えない。
なお、上述したようなＬＥＤユニット３０は、取付面部２３の第１のＬＥＤユニット３１、第２のＬＥＤユニット３２および側部２４の第２のＬＥＤユニット３２、第３のＬＥＤユニット３３に同じＬＥＤユニット３０を用いることができる。
【００２３】
図５に示すように、ＬＥＤユニット３０に点灯電力を供給する電源装置２７は、点灯切替手段４０を構成する制御部４１に接続されており、制御部４１の制御によりＬＥＤユニット３０は点灯する。点灯切替手段４０は、少なくとも第２のＬＥＤユニット３２および第３のＬＥＤユニット３３を同時または選択的に点灯させるものであるが、ここでは、第１のＬＥＤユニット３１の点灯もさせる。
また、制御部４１はスイッチ機構４２に接続されている。スイッチ機構４２としては、例えば、部屋の壁に取り付けられているスイッチや、リモコンスイッチを用いることができる。
従って、ユーザがスイッチ機構４２を操作することにより制御部４１に指令を発し、制御部４１の制御により電源装置２７が第１のＬＥＤユニット３１、第２のＬＥＤユニット３２および第３のＬＥＤユニット３３の中から所望のＬＥＤユニット３０を点灯させる。
【００２４】
図６（Ａ）〜（Ｅ）には、配光パターンの例と、そのとき用いるＬＥＤユニット３０が示されている。
図６（Ａ）に示す配光パターンでは、第１のＬＥＤユニット３１、第２のＬＥＤユニット３２および第３のＬＥＤユニット３３の全てを点灯させる。これは、部屋の床面全面および壁面の一部を照明するのに適する。
【００２５】
図６（Ｂ）に示す配光パターンでは、第２のＬＥＤユニット３２および第３のＬＥＤユニット３３を点灯させる。この場合、部屋の中心部を真上から照明する第１のＬＥＤユニット３１が点灯されず、第２のＬＥＤユニット３２および第３のＬＥＤユニット３３を点灯させる。
従って、部屋の中央を暗くして、周囲および壁面を明るくすることができる。
【００２６】
図６（Ｃ）に示す配光パターンでは、第３のＬＥＤユニット３３のみを点灯させる。
従って、第３のＬＥＤユニット３３側の壁面のみが照明され、床面は照明されないので、例えば、テレビを見る際に、テレビの後方の壁面のみを照明して、目に優しい照明とすることができる。
【００２７】
図６（Ｄ）に示す配光パターンでは、第１のＬＥＤユニット３１のみを点灯させる。
従って、部屋の中央部のみが明るく、周囲は暗くなるので、例えば、部屋の中央にあるテーブルで食事をする場合に適する。
【００２８】
図６（Ｅ）に示す配光パターンでは、第２のＬＥＤユニット３２のうち側部２４にある第２のＬＥＤユニット３２および第３のＬＥＤユニット３３を点灯させる。
従って、壁面を主に照明するので、例えば、壁面に飾ってある絵画等を照明するのに適する。
【００２９】
以上、説明した本発明に係る実施形態の照明器具１０によれば、器具本体２０において天井面１１に対して略平行な取付面部２３に配設されている第１のＬＥＤユニット３１で、光を真下に照射して部屋を照明する。また、第１のＬＥＤユニット３１の外側に配設され側方へ光を照射する第２のＬＥＤユニット３２および第３のＬＥＤユニット３３を、点灯切替手段４０により同時にあるいは選択的に切り替える。これにより、部屋全体の照らし分けができ、部屋の演出効果や、ユーザの嗜好に合わせることができる。
【００３０】
また、器具本体２０の取付面部２３の外側に設けられた側部２４に傾斜面２４１を設け、この傾斜面２４１に第２のＬＥＤユニット３２を設けて側方へ光を照射することにより、ＬＥＤユニット３０の指向性を生かして部屋の壁面を積極的に照明することができるので、真下に光を照射するだけの場合に比して、壁面を明るくできる。
【００３１】
また、傾斜面２４１の傾斜角度θを、施工面である天井面１１に対して０度から９０度とするので、側方へ照射される光により照射範囲を拡げることができるとともに、天井面１１を余分に照らすことを避けることができる。
【００３２】
さらに、対向する傾斜面２４１の一方に第２のＬＥＤユニット３２を配設するとともに、他方に第２のＬＥＤユニット３２とは異なる側方へ光を照射する第３のＬＥＤユニット３３を配設したので、部屋全体の照らし分けができ、部屋の演出効果や、ユーザの嗜好に合わせることができる。
【００３３】
なお、本発明の照明器具は、前述した実施形態に限定されるものでなく、適宜な変形、改良等が可能である。
【符号の説明】
【００３４】
１０  照明器具
１１  天井面（施工面）
２０  器具本体
２３  取付面部
２４  側部
２４１  傾斜面
３１  第１のＬＥＤユニット
３２  第２のＬＥＤユニット
４０  点灯切替手段
θ  傾斜角度
【図１】
0005760181.tif 000002
【図２】
0005760181.tif 000003
【図３】
0005760181.tif 000004
【図４】
0005760181.tif 000005
【図５】
0005760181.tif 000006
【図６】
0005760181.tif 000007
【図７】
0005760181.tif 000008